(57)【特許請求の範囲】
【請求項１】
ハンドル（７）の二つのアーム（１１及び１３）の端に固定された加熱パッド（３及び５）を含む整髪用トング（１）であって、それが二つの加熱パッド（３及び５）が完全に接触した状態にもたらされている完全に狭くされた位置から二つのアーム（１１及び１３）をストップ（１９）と接触する位置にもたらす最大分離位置まで横方向に移動されることができるアーム（１１及び１３）のためのガイドとして作用するハンドル（７）の中央要素（９）を含み、アーム（１１及び１３）の最大分離がアーム（１１及び１３）に対する作用の不存在下でスプリング要素（２３）によって維持される場合において、ハンドル（７）の中央要素（９）が前に少なくとも一つの穴及び後に別の少なくとも一つの穴によってせん孔され、それらの穴において第１スプリング要素（２３）及び第２スプリング要素（２５）がそれぞれ貫通していること、及び前記二つのスプリング要素（２３及び２５）が互いから離れた二つのアーム（１１及び１３）を独立して押すことを特徴とする整髪用トング（１）。
【請求項２】
ハンドル（７）のアーム（１１及び１３）がハンドル（７）の中央要素（９）を取囲むハーフシェルの形状を有することを特徴とする請求の範囲１記載の整髪用トング（１）。
【請求項３】
加熱パッド（３及び５）がアーム（１１及び１３）の端上で突出する態様で装着されていることを特徴とする請求の範囲１記載の整髪用トング（１）。
【請求項４】
加熱パッド（３及び５）がアーム（１１及び１３）と一体のロッド（３３及び３５）上に付けられていることを特徴とする請求の範囲１記載の整髪用トング（１）。
【請求項５】
加熱パッド（３及び５）が固定されているか又は取り換え可能であり、平坦状、凸状、凹状又は波状の如き適切な形状からなることを特徴とする請求の範囲１〜４のいずれか記載の整髪用トング（１）。
【請求項６】
液溜め（３１）を備え、それが液溜め中に含まれる水から得られた蒸気を放出することができることを特徴とする請求の範囲１〜５のいずれか記載の整髪用トング（１）。
【請求項７】
２列の歯を与えられたアダプタ要素（３３）を備えていることを特徴とする請求の範囲１〜６のいずれか記載の整髪用トング（１）。
【発明の詳細な説明】
発明の分野
本発明はストレート化／スタイリングのための整髪用トング（hairdressing tongs）に関する。
技術背景
蒸気の同時放射のための水溜めを備えることができかつ二つの加熱パッドからなる整髪用トングが既に市場で提供されている。ピボット及びスプリングによって接続された二つのハンドルアームの端に固定されたパッドは静止位置において互いから離れた二つのアームを保持する。
手を使用してハンドルに作用することによって、最大開口の位置から出発して二つのアームを動かし、それと一体のパッドは互いに向かって変化可能な鋭角を経て最終的にはパッドを接触させ、原則として平行位置にもたらすことが可能である。
髪の毛は加熱パッド間で把持され、髪は加熱パッドの間でスライドさせることによって滑らかにされることができる。もし必要なら、接触すると水が蒸発する一つの加熱パッドに支持して組込まれる液溜めから生じる水から得られた蒸気の放射を伴うことができる。
このタイプの角度開口トングは、様々のタイプの髪、特にある毛の太さの髪に容易に適用できない、ある側上で把持された髪に他の側上より多く作用する、という根本的な欠点を有する。実際、共通軸のまわりに関着されたアームの場合には、パッド間の角度は分離に従って絶えず変化する。それゆえパッドは髪の毛の形状を不完全にしか従わない。この装置は使用者に全ての所望の形の整髪効果を達成することを可能としない。
発明の目的
本発明の目的は上記欠点を回避することであり、特にハンドルを構成する二つのアームが単なる角度的な方法以外で開放することができることを求めるものである。
特に、本発明の目的は使用者が所望の整髪効果に従って把持作用を変更することができる整髪用トングを提供することである。
発明の特徴
本発明による整髪用トングは従来のようにハンドルの二つのアームの端に固定された加熱パッドを含む。しかしながら、二つのアームはハンドルの中央要素が完全に狭くされた位置（手は閉じられ、二つの加熱パッドは完全に接触した状態にもたらされている）から最大分離位置（アームが中央要素のストップと接触する位置にもたらされ、スプリング要素はハンドルのアームに作用しないときにこの最大分離を維持する（即ち静止位置））まで横方向に移動されることができるように移動自在に装着されている。
手でアームの後面を完全に押入れた位置で保持することによって及びこれらのアームの前面を徐々に押すことによって、トングは従来のように、即ち角度の付いた方法で閉じられる。しかしながら、ハンドルのアームの前及び後面上で同一の方法で押すことができる。この場合において、髪の毛全体と完全に接触して平行な態様でパッドを閉じることができる。前に向かって圧力を強めることによって、パッドは先端で互いに向かって移動し、例えば極めて短い髪を正確に扱ったり又は調整することができる。
この関着方法は使用者のあらゆる器用な動きをパッドに伝達することができる。
圧力がハンドルの前又は後上で均り合っているかどうか、又は圧力が前に向かって又は後に向かって強められているかどうかによって、パッドは平行な態様で又は前又は後に向かう好ましい接触状態で互いに向かって移動する。それらは髪の毛の太さや癖がどのようなものであっても髪の毛の形状に完全に従うことができる。
有利には、ハンドルのアームは中央ハンドル要素を取り囲むハーフシェルの形状を有する。
中央ハンドル要素は二つの開口（一つは前に、他のものは後にある）によってせん孔され、それらは圧縮下で作用するスプリングの通路を作る。各スプリングは中央要素上のストップと接触するまで二つのアームを互いに離すように押す。好ましくは、スタッド又は他の固定要素がスプリングの端を適所で保持する。
整髪操作を容易にする様々な付属品を、本発明の好ましい例の以下の記載から明らかにされているトングに組入れることができる。
【図面の簡単な説明】
図１は（必須構成要素に限定された）本発明による整髪トングの断面図を示す。
図２Ａ，２Ｂ及び２Ｃは三つの使用位置の本発明による整髪トングを示す。
図３Ａ，３Ｂ及び３Ｃは整髪用トングにパッドを装着するための様々な可能性を示す。
図４は整髪用トングに付属品を装着する可能性を示す。
同じ参照符号は同一又は同様の要素のための様々な図において使用される。
発明の具体例の記述
参照符号１によって示された整髪用トングはハンドル７に連結された二つの加熱パッド３及び５を含む。これらのパッドはハンドル７を通って延びる電線によって供給された電気抵抗器（図示せず）を与えられている。このハンドル７は中央要素９及び二つのアーム１１及び１３からなる。
アーム１１は加熱パッド３が装着されているノーズ１５において延び、一方アーム１３は加熱パッド５が装着されているノーズ１７において延びている。
中央要素９はアーム１１及び１３上に形成されたステップ２１の端においてストップ１９を含む。
スプリング２３及び２５はハンドル７の前及び後のそれぞれにおいてスタッドによって保持され、アーム１１及び１３を、結果として加熱パッド３及び５も互いから分離する。
トングの後（図２Ａ）、トングの前及び後（図２Ｂ）又はトングの前（図２Ｃ）を押圧することによって加熱パッドが加熱パッドの前において角度分離位置、平行位置又は把持位置になることが容易にわかる。他の中間位置も可能であり、使用者にあらゆる形のスタイルを実施する可能性を与える。
二つのアーム１１及び１３は中央要素９と一体の二つの横方向壁をカバーするハーフシェルの形状を有し、ハンドルはその前端及びその後端において閉じられることが好ましい。
トングの上部ノーズ１５に液溜め１３を与えることができ、その液溜めはそれを充填するために取りはずし可能であり、例えばハンドル７上に位置された制御作用を受けてパッド３と連通し、パッド上又はパッド間に蒸気を放出する。
図３Ａはノーズ１５及び１７を示し、それらはアーム１１及び１３を延長したものであり、そこにはパッド３及び５が装置され、ノーズがパッドのための保護シェルを形成している。
図３Ｂの場合には、加熱パッド３及び５はアーム１１及び１３の端上で突出する態様で装着されている。
図３Ｃに示された別の例によれば、加熱パッド３及び５はアーム１１及び１３と一体のロッド３３及び３５上に付けられている。
加熱パッドは固定されているか又は取り換え可能であり、平坦状、凸状、凹状、波状などの適切な形状を有する。
パッドは使用者の要求によって、軸方向に向けたり又は反転させてもよい。
図４が示すように、ノーズ１５は例えば２列のくしの歯を備えた１以上のアダプタ要素３７を与えることができるように形成することができる。
本発明によれば請求の範囲に規定された範囲内で多数の変形がもちろん可能である。
【図１】
0004044622.tif 000002
【図２Ａ】
0004044622.tif 000003
【図２Ｂ】
0004044622.tif 000004
【図２Ｃ】
0004044622.tif 000005
【図３Ａ】
0004044622.tif 000006
【図３Ｂ】
0004044622.tif 000007
【図３Ｃ】
0004044622.tif 000008
【図４】
0004044622.tif 000009